(57)【要約】【課題】他装置のディスプレイの表示内容を制御すること。【解決手段】情報処理装置１０１は、画面情報の識別子と種別との対応関係を示す管理情報に基づいて、第１の記憶部１１１を更新する際に、第１の記憶部１１１に記憶された画面情報によって第２の記憶部１１２を更新するか否かを判定する。情報処理装置１０１は、第２の記憶部１１２を更新すると判定した場合、第１の記憶部１１１に記憶された画面情報によって第２の記憶部１１２を更新する。情報処理装置１０１は、第２の記憶部１１２を更新しないと判定した場合、第１の記憶部１１１に記憶された画面情報によって第２の記憶部１１２を更新しない。【選択図】図１
2014182521.tif 000002
【特許請求の範囲】
【請求項１】
他のコンピュータと通信可能に接続可能なコンピュータに、
前記コンピュータが有する第１のディスプレイに出力する画面情報を記憶する第１の記憶部を更新する際に、画面情報の識別子と種別との対応関係を示す管理情報に基づいて、前記他のコンピュータが有する第２のディスプレイに出力する画面情報を記憶する第２の記憶部を前記第１の記憶部に記憶された画面情報によって更新するか否かを判定し、
判定した判定結果に基づいて、前記第２の記憶部を更新する、
処理を実行させることを特徴とする表示制御プログラム。
【請求項２】
前記判定する処理は、
前記第１のディスプレイに複数のウィンドウが表示される場合、前記第１の記憶部を更新する際に、前記複数のウィンドウのうちのアクティブウィンドウの画面情報によって前記第２の記憶部を更新するか否かを判定し、
前記更新する処理は、
判定した判定結果に基づいて、前記アクティブウィンドウの画面情報によって前記第２の記憶部を更新することを特徴とする請求項１に記載の表示制御プログラム。
【請求項３】
前記管理情報は、画面情報の識別子と、前記コンピュータの利用者以外の利用者に公開するか否かを区別する種別との対応関係を示し、
前記判定する処理は、
前記管理情報に基づいて、前記第１の記憶部に記憶する画面情報が、前記コンピュータの利用者以外の利用者に非公開の画面情報の場合、前記第２の記憶部を更新しないと判定することを特徴とする請求項１または２に記載の表示制御プログラム。
【請求項４】
前記管理情報は、画面情報の識別子と、前記コンピュータの利用者以外の利用者のうち特定の種別の利用者に公開するか否かを区別する種別との対応関係を示し、
前記判定する処理は、
前記管理情報および前記他のコンピュータの利用者の識別子と種別との対応関係を示す利用者情報に基づいて、前記第１の記憶部に記憶する画面情報が、前記他のコンピュータの利用者に非公開の画面情報の場合、前記第２の記憶部を更新しないと判定することを特徴とする請求項１〜３のいずれか一つに記載の表示制御プログラム。
【請求項５】
前記コンピュータに、
前記第１の記憶部に記憶されている画面情報を前記第１のディスプレイに出力し、
前記第２の記憶部に記憶されている画面情報を前記他のコンピュータに出力する、
処理を実行させることを特徴とする請求項１〜４のいずれか一つに記載の表示制御プログラム。
【請求項６】
第１のディスプレイを有し、第２のディスプレイを有する他の情報処理装置と通信可能に接続可能な情報処理装置において、
前記第１のディスプレイに出力する画面情報を記憶する第１の記憶部と、
前記第２のディスプレイに出力する画面情報を記憶する第２の記憶部と、
前記第１の記憶部を更新する際に、画面情報の識別子と種別との対応関係を示す管理情報に基づいて、前記第１の記憶部に記憶された画面情報によって前記第２の記憶部を更新するか否かを判定する判定部と、
前記判定部によって判定された判定結果に基づいて、前記第２の記憶部を更新する更新部と、
前記第１の記憶部に記憶されている画面情報を前記第１のディスプレイに出力する第１の出力部と、
前記第２の記憶部に記憶されている画面情報を前記他の情報処理装置に出力する第２の出力部と、
を有することを特徴とする情報処理装置。
【発明の詳細な説明】
【技術分野】
【０００１】
本発明は、表示制御プログラムおよび情報処理装置に関する。
【背景技術】
【０００２】
従来、画面の画像データを生成する画面転送装置が、ネットワークを介して接続された画面表示端末に表示させる画像データを生成した後、一旦フレームバッファに蓄積し、フレームバッファ内の画像データを画面表示端末に送信する技術がある。
【先行技術文献】
【特許文献】
【０００３】
【特許文献１】特開２００６−２４６１５３号公報
【発明の概要】
【発明が解決しようとする課題】
【０００４】
しかしながら、従来技術では、営業担当者が操作するコンピュータを、顧客先のテレビ受信機等のディスプレイに接続して、顧客には、顧客先のディスプレイの表示を見せながら商品の説明を行う場合などに、顧客には見せたくない情報が表示される場合がある。例えば、営業担当者が顧客に商品の説明を行うために、営業担当者のコンピュータと同じ画面を顧客先のディスプレイに表示する場合、説明途中に顧客には見せたくない情報を確認しようとすると、その情報が顧客先のディスプレイにも表示されてしまう。
【０００５】
１つの側面では、本発明は、他装置のディスプレイの表示内容を制御する表示制御プログラムおよび情報処理装置を提供することを目的とする。
【課題を解決するための手段】
【０００６】
本発明の一側面によれば、他のコンピュータと通信可能に接続可能なコンピュータに、前記コンピュータが有する第１のディスプレイに出力する画面情報を記憶する第１の記憶部を更新する際に、画面情報の識別子と種別との対応関係を示す管理情報に基づいて、前記他のコンピュータが有する第２のディスプレイに出力する画面情報を記憶する第２の記憶部を前記第１の記憶部に記憶された画面情報によって更新するか否かを判定し、判定した判定結果に基づいて、前記第２の記憶部を更新する、処理を実行させる表示制御プログラムが提案される。
【０００７】
また、本発明の一側面によれば、第１のディスプレイを有し、第２のディスプレイを有する他の情報処理装置と通信可能に接続可能な情報処理装置において、前記第１のディスプレイに出力する画面情報を記憶する第１の記憶部と、前記第２のディスプレイに出力する画面情報を記憶する第２の記憶部と、前記第１の記憶部を更新する際に、画面情報の識別子と種別との対応関係を示す管理情報に基づいて、前記第１の記憶部に記憶された画面情報によって前記第２の記憶部を更新するか否かを判定する判定部と、前記判定部によって判定された判定結果に基づいて、前記第２の記憶部を更新する更新部と、前記第１の記憶部に記憶されている画面情報を前記第１のディスプレイに出力する第１の出力部と、前記第２の記憶部に記憶されている画面情報を前記他の情報処理装置に出力する第２の出力部と、を有する情報処理装置が提案される。
【発明の効果】
【０００８】
本発明の一態様によれば、他装置のディスプレイの表示内容を制御することができるという効果を奏する。
【図面の簡単な説明】
【０００９】
【図１】図１は、実施の形態にかかる表示制御方法の一実施例を示す説明図である。
【図２】図２は、システム２００のシステム構成例を示す説明図である。
【図３】図３は、情報処理装置１０１，１０２のハードウェア構成例を示すブロック図である。
【図４】図４は、画面情報管理ＤＢ２２０の記憶内容の一例を示す説明図である。
【図５】図５は、顧客情報管理ＤＢ２３０の記憶内容の一例を示す説明図である。
【図６】図６は、情報処理装置１０１の機能的構成例を示すブロック図である。
【図７】図７は、ディスプレイ１１０，１２０の第１の画面遷移例を示す説明図である。
【図８】図８は、ディスプレイ１１０，１２０の第２の画面遷移例を示す説明図である。
【図９】図９は、ディスプレイ１１０，１２０の第３の画面遷移例を示す説明図である。
【図１０】図１０は、情報処理装置１０１の表示制御処理手順の一例を示すフローチャートである。
【図１１】図１１は、判定対象取得処理の具体的処理手順の一例を示すフローチャートである。
【図１２】図１２は、判定処理の具体的処理手順の一例を示すフローチャートである。
【図１３】図１３は、情報処理装置１０１に情報処理装置Ｍ１〜Ｍｎが接続される場合の接続例を示す説明図である。
【図１４】図１４は、装置管理情報ＤＢ１４００の記憶内容の一例を示す説明図である。
【図１５】図１５は、情報処理装置１０１に情報処理装置Ｍ１〜Ｍｎが接続される場合の判定処理の具体的処理手順の一例を示すフローチャートである。
【発明を実施するための形態】
【００１０】
以下に図面を参照して、本発明にかかる表示制御プログラムおよび情報処理装置の実施の形態を詳細に説明する。
【００１１】
（表示制御方法の一実施例）
図１は、実施の形態にかかる表示制御方法の一実施例を示す説明図である。図１において、情報処理装置１０１は、ディスプレイ１１０を有し、ディスプレイ１２０を有する情報処理装置１０２と通信可能に接続可能なコンピュータである。
【００１２】
ここで、情報処理装置１０１は、ディスプレイ１１０に出力する画面情報を記憶する第１の記憶部１１１を有する。第１の記憶部１１１に記憶された画面情報は、ディスプレイ１１０に表示される。また、情報処理装置１０１は、情報処理装置１０２に出力する画面情報を記憶する第２の記憶部１１２を有する。第２の記憶部１１２に記憶された画面情報は、情報処理装置１０２に出力されてディスプレイ１２０に表示される。
【００１３】
また、情報処理装置１０１は、画面情報の識別子と種別との対応関係を示す管理情報を有する。画面情報は、例えば、情報処理装置１０１に記憶されていてもよく、また、情報処理装置１０１と通信可能に接続されるサーバ等に記憶されていてもよい。画面情報の識別子は、例えば、ファイル名やＵＲＬ（Ｕｎｉｆｏｒｍ  Ｒｅｓｏｕｒｃｅ  Ｌｏｃａｔｏｒ）などである。画面情報の種別は、例えば、情報処理装置１０１の利用者以外の利用者に画面情報を公開するか否かを区別するためのものである。
【００１４】
具体的には、例えば、情報処理装置１０１は、ある事柄の説明や解説を行う説明者によって使用され、情報処理装置１０２は、説明者の説明や解説を受ける被説明者によって使用される。説明者と被説明者の具体例としては、例えば、企業における営業担当の職員と顧客、教育機関における先生と生徒、医療機関における医師と患者などがある。
【００１５】
以下の説明では、銀行、金融公庫、信用金庫、保険会社、証券会社などの金融機関における渉外担当の職員が、情報処理装置１０１，１０２を用いて顧客に対する金融商品の紹介、売り込みなどを行う場合を想定する。金融商品としては、例えば、投資信託、各種保険、公共債、証券、外貨などがある。
【００１６】
ここで、金融機関における職員が、顧客に対する金融商品の紹介等を行う際に、顧客には公開したくないが、職員自身が閲覧したい情報がある。顧客には公開したくないが、職員自身が閲覧したい情報としては、例えば、顧客の社内査定情報などがある。この場合、ディスプレイ１１０の画面切替に連動して、ディスプレイ１２０の画面切替が行われると、顧客に開示したくない情報を含む画面情報がディスプレイ１２０に表示されてしまう場合がある。
【００１７】
そこで、実施の形態では、情報処理装置１０１は、第１の記憶部１１１に記憶する画面情報の種別に基づいて、その画面情報で、第２の記憶部１１２を更新するか否かを判定することにより、情報処理装置１０２のディスプレイ１２０の表示内容を制御する。以下、情報処理装置１０１の表示制御処理例について説明する。
【００１８】
（１）情報処理装置１０１は、第１の記憶部１１１を更新する際に、管理情報に基づいて、第１の記憶部１１１に記憶された画面情報によって第２の記憶部１１２を更新するか否かを判定する。ここでは、第１の記憶部１１１に画面情報１３０が記憶されており、ディスプレイ１１０に画面情報１３０が表示されている場合を想定する。
【００１９】
また、管理情報には、画面情報１３０の識別子と、情報処理装置１０１の利用者以外の利用者に画面情報を公開することを示す種別との対応関係が示されている場合を想定する。この場合、情報処理装置１０１は、第１の記憶部１１１に記憶された画面情報によって第２の記憶部１１２を更新すると判定する。
【００２０】
（２）情報処理装置１０１は、第２の記憶部１１２を更新すると判定した場合、画面情報１３０で、第２の記憶部１１２を更新する。具体的には、例えば、情報処理装置１０１は、第２の記憶部１１２に画面情報１３０を書き込む。この結果、情報処理装置１０２に画面情報１３０が出力されて、ディスプレイ１２０に画面情報１３０が表示される。
【００２１】
このように、画面情報１３０が、情報処理装置１０１の利用者以外の利用者に公開してもよい種別の画面情報の場合は、ディスプレイ１１０とディスプレイ１２０に画面情報１３０が表示されて、職員と顧客が同じ画面情報１３０を閲覧できる状態となる。ここで、情報処理装置１０１の利用者の操作入力により、ディスプレイ１１０の表示内容が切り替わる場合を想定する。
【００２２】
（３）情報処理装置１０１は、第１の記憶部１１１を更新する際に、管理情報に基づいて、第１の記憶部１１１に記憶された画面情報によって、第２の記憶部１１２を更新するか否かを判定する。ここでは、ディスプレイ１１０の表示内容が画面情報１３０から画面情報１４０に切り替わる場合を想定し、第１の記憶部１１１に画面情報１４０が記憶されて、ディスプレイ１１０に画面情報１４０が表示されている場合を想定する。
【００２３】
また、管理情報には、画面情報１４０の識別子と、情報処理装置１０１の利用者以外の利用者に画面情報を公開しないことを示す種別との対応関係が示されている場合を想定する。この場合、情報処理装置１０１は、第１の記憶部１１１に記憶された画面情報によって第２の記憶部１１２を更新しないと判定する。
【００２４】
（４）情報処理装置１０１は、第２の記憶部１１２を更新しないと判定した場合、画面情報１４０によって第２の記憶部１１２を更新しない。この結果、ディスプレイ１２０には画面情報１３０が表示されたままとなる。このように、画面情報１４０が、情報処理装置１０１の利用者以外の利用者に公開しない種別の画面情報の場合は、ディスプレイ１２０には画面情報１４０が表示されず、職員と顧客が別の画面情報を閲覧する状態となる。
【００２５】
以上説明したように、情報処理装置１０１によれば、第１の記憶部１１１に記憶する画面情報の種別から、情報処理装置１０１の利用者以外の利用者に公開するか否かを判別して、その画面情報によって、第２の記憶部１１２を更新するか否かを判定することができる。これにより、情報処理装置１０１の利用者が特段の操作を行うことなく、情報処理装置１０２のディスプレイ１２０に顧客に非公開の画面情報が表示されることを抑制することができる。
【００２６】
（システム２００のシステム構成例）
つぎに、実施の形態にかかるシステム２００のシステム構成例について説明する。図２は、システム２００のシステム構成例を示す説明図である。図２において、システム２００は、情報処理装置１０１と、情報処理装置１０２と、サーバ２０１と、を含む。システム２００において、情報処理装置１０１、情報処理装置１０２およびサーバ２０１は、有線または無線のネットワーク２１０を介して接続されている。ネットワーク２１０は、例えば、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などである。
【００２７】
ここで、情報処理装置１０１は、金融機関における渉外担当の職員が使用するコンピュータである。具体的には、例えば、情報処理装置１０１は、タブレット型ＰＣ（Ｐｅｒｓｏｎａｌ  Ｃｏｍｐｕｔｅｒ）、ノートＰＣ、スマートフォン、携帯電話機、ＰＨＳ（Ｐｅｒｓｏｎａｌ  Ｈａｎｄｙ−ｐｈｏｎｅ  Ｓｙｓｔｅｍ）などである。図２の例では、情報処理装置１０１は、タブレット型ＰＣである。
【００２８】
情報処理装置１０１は、画面情報管理ＤＢ（データベース）２２０および顧客情報管理ＤＢ２３０を有する。画面情報管理ＤＢ２２０は、画面情報Ｐの識別子と種別との対応関係を示す管理情報を記憶するデータベースである。画面情報管理ＤＢ２２０の記憶内容については、図４を用いて後述する。顧客情報管理ＤＢ２３０は、顧客の識別子と種別との対応関係を示す顧客情報を記憶するデータベースである。顧客情報管理ＤＢ２３０の記憶内容については、図５を用いて後述する。
【００２９】
また、情報処理装置１０２は、例えば、顧客が利用するコンピュータである。具体的には、例えば、情報処理装置１０２は、金融機関や顧客先に設置されたテレビ受信機やＰＣであってもよく、また、金融機関から顧客に貸し出されるノートＰＣやタブレット型ＰＣなどであってもよい。さらに、情報処理装置１０２は、顧客のタブレット型ＰＣ、スマートフォン、携帯電話機、ＰＨＳなどであってもよい。図２の例では、情報処理装置１０２は、テレビ受信機である。より具体的には、例えば、情報処理装置１０１，１０２は、ＤＬＮＡ（Ｄｉｇｉｔａｌ  Ｌｉｖｉｎｇ  Ｎｅｔｗｏｒｋ  Ａｌｌｉａｎｃｅ）に対応する電子機器である。
【００３０】
サーバ２０１は、画面情報ＤＢ２４０を有するコンピュータである。画面情報ＤＢ２４０は、画面情報Ｐを記憶するデータベースである。情報処理装置１０１は、サーバ２０１にアクセスして、所望の画面情報Ｐを取得することができる。具体的には、例えば、サーバ２０１は、情報処理装置１０１から指定されたＵＲＬに対応する画面情報Ｐを画面情報ＤＢ２４０から抽出し、抽出した画面情報Ｐを情報処理装置１０１に送信する。
【００３１】
なお、図２の例では、サーバ２０１が画面情報ＤＢ２４０を有することにしたが、情報処理装置１０１が画面情報ＤＢ２４０を有することにしてもよい。
【００３２】
（情報処理装置１０１，１０２のハードウェア構成例）
図３は、情報処理装置１０１，１０２のハードウェア構成例を示すブロック図である。図３において、情報処理装置１０１，１０２は、ＣＰＵ（Ｃｅｎｔｒａｌ  Ｐｒｏｃｅｓｓｉｎｇ  Ｕｎｉｔ）３０１と、メモリ３０２と、入力装置３０３と、Ｉ／Ｆ（Ｉｎｔｅｒｆａｃｅ）３０４と、ディスプレイ１１０，１２０と、を有する。また、各構成部はバス３００によってそれぞれ接続されている。
【００３３】
ここで、ＣＰＵ３０１は、情報処理装置１０１，１０２の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭがＯＳ（Ｏｐｅｒａｔｉｎｇ  Ｓｙｓｔｅｍ）のプログラムを記憶し、ＲＯＭがアプリケーションプログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させることになる。
【００３４】
入力装置３０３は、文字、数字、各種指示などの入力のためのキーを有し、データの入力を行う。入力装置３０３は、例えば、キーボードやマウスであってもよく、また、タッチパネル式の入力パッドやテンキーなどであってもよい。
【００３５】
Ｉ／Ｆ３０４は、通信回線を通じてネットワーク２１０に接続され、ネットワーク２１０を介して他のコンピュータに接続される。そして、Ｉ／Ｆ３０４は、ネットワーク２１０と内部のインターフェースを司り、他のコンピュータからのデータの入出力を制御する。Ｉ／Ｆ３０４には、例えば、モデムやＬＡＮアダプタなどを採用することができる。
【００３６】
ディスプレイ１１０，１２０は、カーソル、アイコンあるいはツールボックスをはじめ、文書、画像、機能情報などのデータを表示する。ディスプレイ１１０，１２０は、例えば、液晶ディスプレイや有機ＥＬ（Ｅｌｅｃｔｒｏｌｕｍｉｎｅｓｃｅｎｃｅ）ディスプレイなどを採用することができる。なお、ディスプレイ１１０は情報処理装置１０１が有し、ディスプレイ１２０は情報処理装置１０２が有する。
【００３７】
なお、情報処理装置１０１，１０２は、上述した構成部のほかに、例えば、磁気ディスクドライブ、磁気ディスク、光ディスクドライブ、光ディスク、プリンタ等を有することにしてもよい。また、サーバ２０１のハードウェア構成は、例えば、ＣＰＵ、メモリ、Ｉ／Ｆ、補助記憶装置、バス等により実現される。
【００３８】
（画面情報管理ＤＢ２２０の記憶内容）
つぎに、図２に示した画面情報管理ＤＢ２２０の記憶内容について説明する。画面情報管理ＤＢ２２０は、例えば、図３に示した情報処理装置１０１のメモリ３０２により実現される。
【００３９】
図４は、画面情報管理ＤＢ２２０の記憶内容の一例を示す説明図である。図４において、画面情報管理ＤＢ２２０は、ＵＲＬ、顧客参照、優待客参照および非優待客参照のフィールドを有し、各フィールドに情報を設定することで、管理情報（例えば、管理情報４００−１〜４００−５）をレコードとして記憶する。
【００４０】
ここで、ＵＲＬは、画面情報Ｐの識別子である。顧客参照は、画面情報Ｐを顧客に公開するか否かを区別するための種別情報である。優待客参照は、画面情報Ｐを優待客に公開するか否かを区別するための種別情報である。非優待客参照は、画面情報Ｐを非優待客に公開するか否かを区別するための種別情報である。一例として、管理情報４００−１を例に挙げると、ＵＲＬ「ａｂａｎｋ．ｃｏ．ｊｐ／ｉｎｄｅｘ．ｈｔｍｌ」、顧客参照「可」、優待客参照「可」および非優待客参照「可」が設定されている。
【００４１】
（顧客情報管理ＤＢ２３０の記憶内容）
つぎに、図２に示した顧客情報管理ＤＢ２３０の記憶内容について説明する。顧客情報管理ＤＢ２３０は、例えば、図３に示した情報処理装置１０１のメモリ３０２により実現される。
【００４２】
図５は、顧客情報管理ＤＢ２３０の記憶内容の一例を示す説明図である。図５において、顧客情報管理ＤＢ２３０は、顧客ＩＤ、氏名、顧客種別および連絡先のフィールドを有し、各フィールドに情報を設定することで、顧客情報（例えば、顧客情報５００−１〜５００−３）をレコードとして記憶する。
【００４３】
ここで、顧客ＩＤは、顧客の識別子である。氏名は、顧客の氏名である。顧客種別は、顧客が優待客か非優待客かを区別するための種別情報である。ここでは、顧客種別「優」は優待客を示し、顧客種別「非」は非優待客を示す。連絡先は、顧客の電話番号である。一例として、顧客情報５００−１を例に挙げると、顧客ＩＤ「Ｕ１」、氏名「○山権兵衛」、顧客種別「非」および連絡先「０３−９８７６−ｘｘｘｘ」が設定されている。
【００４４】
（情報処理装置１０１の機能的構成例）
図６は、情報処理装置１０１の機能的構成例を示すブロック図である。図６において、情報処理装置１０１は、受付部６０１と、検知部６０２と、取得部６０３と、更新部６０４と、判定部６０５と、第１出力部６０６と、第２出力部６０７と、を含む構成である。各機能部は、具体的には、例えば、図３に示したメモリ３０２に記憶されたプログラムをＣＰＵ３０１に実行させることにより、または、Ｉ／Ｆ３０４により、その機能を実現する。また、各機能部の処理結果は、例えば、メモリ３０２に記憶される。
【００４５】
受付部６０１は、情報処理装置１０２を利用する顧客の顧客ＩＤを受け付ける機能を有する。具体的には、例えば、受付部６０１は、入力装置３０３を用いた利用者（例えば、職員または顧客）の操作入力により、顧客の顧客ＩＤを受け付けることにしてもよく、また、情報処理装置１０２から顧客の顧客ＩＤを受信することにしてもよい。
【００４６】
また、受付部６０１は、画面情報Ｐの送信開始指示を受け付けることにしてもよい。送信開始指示は、情報処理装置１０２への画面情報Ｐの送信開始を指示するものである。具体的には、例えば、受付部６０１は、入力装置３０３を用いた利用者（例えば、職員）の操作入力により、画面情報Ｐの送信開始指示を受け付けることにしてもよい。
【００４７】
検知部６０２は、ディスプレイ１１０の表示内容の切り替えを検知する機能を有する。具体的には、例えば、検知部６０２は、入力装置３０３を用いた利用者（例えば、職員）の操作入力により、ディスプレイ１１０の表示内容の切替操作が行われた場合に、ディスプレイ１１０の表示内容の切り替えを検知する。
【００４８】
ディスプレイ１１０の表示内容の切り替えには、例えば、全画面表示モードおよびウィンドウ表示モードにおける表示対象となる画面情報Ｐの変更や、ウィンドウ表示モードにおけるアクティブウィンドウの変更などが含まれる。また、表示対象となる画面情報Ｐは、例えば、入力装置３０３を用いた利用者の操作入力により選択される。より具体的には、例えば、画面情報Ｐのファイル名がリスト化された画面情報一覧の中から、表示対象となる画面情報Ｐのファイル名が選択される。
【００４９】
取得部６０３は、ディスプレイ１１０に表示する画面情報Ｐを取得する機能を有する。具体的には、例えば、取得部６０３は、ディスプレイ１１０の表示内容の切り替えが検知された場合に、サーバ２０１にアクセスして、表示対象となる画面情報ＰのＵＲＬを指定することにより、ディスプレイ１１０に表示する画面情報Ｐを取得する。
【００５０】
画面情報ＰのＵＲＬは、例えば、画面情報一覧にリスト化された画面情報Ｐのファイル名と関連付けてメモリ３０２に記憶されている。なお、情報処理装置１０１が画面情報ＤＢ２４０を有する場合は、取得部６０３は、画面情報ＤＢ２４０から、ディスプレイ１１０に表示する画面情報Ｐを取得することにしてもよい。
【００５１】
更新部６０４は、ディスプレイ１１０に出力する画面情報Ｐを記憶する第１送信用バッファ６０８を更新する機能を有する。ここで、第１送信用バッファ６０８は、図１に示した第１の記憶部１１１に相当する、いわゆるフレームバッファ、ＶＲＡＭ（Ｖｉｄｅｏ  Ｒａｎｄｏｍ  Ａｃｃｅｓｓ  Ｍｅｍｏｒｙ）であり、例えば、メモリ３０２により実現される。具体的には、例えば、更新部６０４は、取得された画面情報Ｐを第１送信用バッファ６０８に書き込む。
【００５２】
判定部６０５は、第１送信用バッファ６０８が更新される場合、画面情報管理ＤＢ２２０を参照して、第１送信用バッファ６０８に記憶された画面情報Ｐで、第２送信用バッファ６０９を更新するか否かを判定する機能を有する。具体的には、例えば、判定部６０５は、送信開始指示が受け付けられ、かつ、第１送信用バッファ６０８が更新される場合に、画面情報管理ＤＢ２２０を参照して、第１送信用バッファ６０８に記憶された画面情報Ｐで、第２送信用バッファ６０９を更新するか否かを判定する。ここで、第２送信用バッファ６０９は、図１に示した第２の記憶部１１２に相当する、いわゆるフレームバッファ、ＶＲＡＭであり、例えば、メモリ３０２により実現される。
【００５３】
具体的には、例えば、まず、判定部６０５は、画面情報管理ＤＢ２２０から、第１送信用バッファ６０８に記憶する画面情報ＰのＵＲＬがＵＲＬフィールドに設定された管理情報を取得する。なお、画面情報ＰのＵＲＬは、例えば、情報処理装置１０１のブラウザから取得することができる。
【００５４】
つぎに、判定部６０５は、取得した管理情報の顧客参照フィールドに「可」が設定されているか否かを判断する。ここで、顧客参照フィールドに「可」が設定されている場合、判定部６０５は、第１送信用バッファ６０８に記憶された画面情報Ｐで、第２送信用バッファ６０９を更新すると判定する。一方、顧客参照フィールドに「非」が設定されている場合、判定部６０５は、第１送信用バッファ６０８に記憶された画面情報Ｐで、第２送信用バッファ６０９を更新しないと判定する。
【００５５】
さらに、判定部６０５は、顧客参照フィールドに「可」が設定されている場合に、顧客情報管理ＤＢ２３０から、情報処理装置１０２を利用する顧客の顧客ＩＤが顧客ＩＤフィールドに設定された顧客情報を取得することにしてもよい。そして、判定部６０５は、取得した顧客情報の顧客種別を参照して、情報処理装置１０２を利用する顧客が優待客か非優待客かを判断することにしてもよい。
【００５６】
ここで、情報処理装置１０２を利用する顧客が優待客の場合、判定部６０５は、取得した管理情報の優待客参照フィールドに「可」が設定されているか否かを判断する。そして、優待客参照フィールドに「可」が設定されている場合、判定部６０５は、第１送信用バッファ６０８に記憶された画面情報Ｐで、第２送信用バッファ６０９を更新すると判定する。一方、優待客参照フィールドに「非」が設定されている場合、判定部６０５は、第１送信用バッファ６０８に記憶された画面情報Ｐで、第２送信用バッファ６０９を更新しないと判定する。
【００５７】
一方、情報処理装置１０２を利用する顧客が非優待客の場合、判定部６０５は、取得した管理情報の非優待客参照フィールドに「可」が設定されているか否かを判断する。そして、非優待客参照フィールドに「可」が設定されている場合、判定部６０５は、第１送信用バッファ６０８に記憶された画面情報Ｐで、第２送信用バッファ６０９を更新すると判定する。一方、非優待客参照フィールドに「非」が設定されている場合、判定部６０５は、第１送信用バッファ６０８に記憶された画面情報Ｐで、第２送信用バッファ６０９を更新しないと判定する。
【００５８】
また、判定部６０５は、ディスプレイ１１０の表示モードが全画面表示モードかウィンドウ表示モードかを判断する機能を有する。具体的には、例えば、判定部６０５は、情報処理装置１０１のＯＳにディスプレイ１１０の表示モードを問い合わせることにより、ディスプレイ１１０の表示モードが全画面表示モードかウィンドウ表示モードかを判断することができる。
【００５９】
ここで、ディスプレイ１１０の表示モードがウィンドウ表示モードの場合、判定部６０５は、ディスプレイ１１０に表示される複数のウィンドウのうちのアクティブウィンドウの画面情報Ｐによって、第２送信用バッファ６０９を更新するか否かを判定することにしてもよい。これにより、ディスプレイ１１０の表示モードがウィンドウ表示モードの場合は、アクティブウィンドウの画面情報Ｐを判定対象にすることができる。
【００６０】
また、更新部６０４は、判定部６０５によって判定された判定結果に基づいて、第２送信用バッファ６０９を更新する機能を有する。具体的には、例えば、更新部６０４は、第２送信用バッファ６０９を更新すると判定された場合、第１送信用バッファ６０８に記憶されている画面情報Ｐを第２送信用バッファ６０９に書き込む。
【００６１】
この際、ディスプレイ１１０の表示モードがウィンドウ表示モードの場合には、更新部６０４は、第１送信用バッファ６０８に記憶されている画面情報のうちアクティブウィンドウの画面情報Ｐを第２送信用バッファ６０９に書き込む。一方、第２送信用バッファ６０９を更新しないと判定された場合には、更新部６０４は、第２送信用バッファ６０９を更新しない。
【００６２】
第１出力部６０６は、第１送信用バッファ６０８に記憶されている画面情報Ｐをディスプレイ１１０に出力する機能を有する。これにより、第１送信用バッファ６０８に記憶されている画面情報Ｐをディスプレイ１１０に表示することができる。
【００６３】
第２出力部６０７は、第２送信用バッファ６０９に記憶されている画面情報Ｐを情報処理装置１０２に出力する機能を有する。具体的には、例えば、第２出力部６０７は、第２送信用バッファ６０９に記憶されている画面情報Ｐを情報処理装置１０２に送信する。この結果、情報処理装置１０２は、情報処理装置１０１から受信した画面情報Ｐをディスプレイ１２０に表示する。
【００６４】
これにより、第２送信用バッファ６０９に記憶されている画面情報Ｐをディスプレイ１２０に表示することができる。また、ディスプレイ１１０の表示モードがウィンドウ表示モードの場合は、アクティブウィンドウの画面情報Ｐをディスプレイ１２０に表示することができる。
【００６５】
なお、更新部６０４は、ディスプレイ１２０の解像度に応じた第２送信用バッファ６０９の容量を確保し、ディスプレイ１２０の解像度に合わせて画面情報Ｐを加工（例えば、拡大）して、第２送信用バッファ６０９に書き込むことにしてもよい。これにより、ディスプレイ１２０の解像度に合った画面情報Ｐをディスプレイ１２０に表示することができる。なお、ディスプレイ１２０の解像度は、例えば、情報処理装置１０２に問い合わせることにより特定することができる。
【００６６】
また、情報処理装置１０２がテレビ受信機などの場合、ディスプレイ１２０に画面情報Ｐを継続して表示するために、情報処理装置１０２が画面情報Ｐを繰り返し受信することになる場合がある。この場合、第２出力部６０７は、例えば、所定の時間間隔で、第２送信用バッファ６０９に記憶されている画面情報Ｐを情報処理装置１０２に繰り返し出力することにしてもよい。
【００６７】
（ディスプレイ１１０，１２０の画面遷移例）
つぎに、図７〜図９を用いて、ディスプレイ１１０，１２０の画面遷移例について説明する。まず、ディスプレイ１１０の表示モードが全画面表示モードの場合を例に挙げて、ディスプレイ１１０，１２０の画面遷移例について説明する。
【００６８】
＜第１の画面遷移例＞
図７は、ディスプレイ１１０，１２０の第１の画面遷移例を示す説明図である。図７の（７−１）において、第１送信用バッファ６０８に画面情報Ｐ１が書き込まれた結果、ディスプレイ１１０に画面情報Ｐ１が表示されている。この場合、画面情報Ｐ１が判定対象となる。
【００６９】
具体的には、例えば、まず、判定部６０５は、画面情報管理ＤＢ２２０から、第１送信用バッファ６０８に記憶されている画面情報Ｐ１のＵＲＬがＵＲＬフィールドに設定された管理情報を取得する。ここでは、画面情報Ｐ１のＵＲＬを「ａｂａｎｋ．ｃｏ．ｊｐ／ｉｎｄｅｘ．ｈｔｍｌ」とする。
【００７０】
この場合、判定部６０５は、画面情報管理ＤＢ２２０から、画面情報Ｐ１のＵＲＬ「ａｂａｎｋ．ｃｏ．ｊｐ／ｉｎｄｅｘ．ｈｔｍｌ」がＵＲＬフィールドに設定された管理情報４００−１を取得する。つぎに、判定部６０５は、取得した管理情報４００−１の顧客参照フィールドに「可」が設定されているか否かを判断する。ここでは、管理情報４００−１の顧客参照フィールドに「可」が設定されている。
【００７１】
この場合、判定部６０５は、第１送信用バッファ６０８に記憶されている画面情報Ｐ１によって、第２送信用バッファ６０９を更新すると判定する。そして、更新部６０４は、第１送信用バッファ６０８に記憶されている画面情報Ｐ１を第２送信用バッファ６０９に書き込む。この結果、図７の（７−２）に示すように、ディスプレイ１２０に画面情報Ｐ１が表示される。
【００７２】
これにより、ディスプレイ１１０，１２０のそれぞれに同じ画面情報Ｐ１を表示して、金融機関の職員が顧客に対して金融商品の紹介等を行うことができる。ここで、金融機関の職員の操作入力により、ディスプレイ１１０の表示内容が画面情報Ｐ１から画面情報Ｐ２に遷移する場合を想定する。
【００７３】
図７の（７−３）において、第１送信用バッファ６０８に画面情報Ｐ２が書き込まれた結果、ディスプレイ１１０に画面情報Ｐ２が表示されている。この場合、画面情報Ｐ２が判定対象となる。画面情報Ｐ２は、金融機関の職員のみが確認したい情報であり、図７の例では、画面情報Ｐ２は、職員のスケジュール情報である。
【００７４】
具体的には、例えば、まず、判定部６０５は、画面情報管理ＤＢ２２０から、第１送信用バッファ６０８に記憶されている画面情報Ｐ２のＵＲＬがＵＲＬフィールドに設定された管理情報を取得する。ここでは、画面情報Ｐ２のＵＲＬを「ａｂａｎｋ．ｃｏ．ｊｐ／ｓｃｈｅ．ｈｔｍｌ」とする。
【００７５】
この場合、判定部６０５は、画面情報管理ＤＢ２２０から、画面情報Ｐ２のＵＲＬ「ａｂａｎｋ．ｃｏ．ｊｐ／ｓｃｈｅ．ｈｔｍｌ」がＵＲＬフィールドに設定された管理情報４００−５を取得する。つぎに、判定部６０５は、取得した管理情報４００−５の顧客参照フィールドに「可」が設定されているか否かを判断する。ここでは、管理情報４００−５の顧客参照フィールドに「非」が設定されている。
【００７６】
この場合、判定部６０５は、第１送信用バッファ６０８に記憶されている画面情報Ｐ２によって、第２送信用バッファ６０９を更新しないと判定する。この結果、図７の（７−４）に示すように、ディスプレイ１２０には画面情報Ｐ１が表示されたままとなる。これにより、ディスプレイ１１０に表示する画面情報Ｐ２が職員のみが確認したい情報、すなわち、顧客に公開したくない情報の場合は、画面情報Ｐ２で第２送信用バッファ６０９を更新せずに、職員と顧客とが別々の画面情報Ｐ２，Ｐ１を閲覧することができる。
【００７７】
＜第２の画面遷移例＞
つぎに、ディスプレイ１１０の表示モードがウィンドウ表示モードの場合を例に挙げて、ディスプレイ１１０，１２０の画面遷移例について説明する。
【００７８】
図８は、ディスプレイ１１０，１２０の第２の画面遷移例を示す説明図である。図８の（８−１）において、第１送信用バッファ６０８に画面情報Ｐ３が書き込まれた結果、ディスプレイ１１０に画面情報Ｐ３が表示されている。ここでは、ディスプレイ１１０の表示モードがウィンドウ表示モードのため、ディスプレイ１１０に表示されるウィンドウＷ１，Ｗ２のうちアクティブウィンドウＷ１の画面情報Ｐ１が判定対象となる。
【００７９】
具体的には、例えば、まず、判定部６０５は、画面情報管理ＤＢ２２０から、第１送信用バッファ６０８に記憶されている画面情報Ｐ３のうちのアクティブウィンドウＷ１の画面情報Ｐ１のＵＲＬがＵＲＬフィールドに設定された管理情報を取得する。ここでは、画面情報Ｐ１のＵＲＬを「ａｂａｎｋ．ｃｏ．ｊｐ／ｉｎｄｅｘ．ｈｔｍｌ」とする。
【００８０】
この場合、判定部６０５は、画面情報管理ＤＢ２２０から、画面情報Ｐ１のＵＲＬ「ａｂａｎｋ．ｃｏ．ｊｐ／ｉｎｄｅｘ．ｈｔｍｌ」がＵＲＬフィールドに設定された管理情報４００−１を取得する。つぎに、判定部６０５は、取得した管理情報４００−１の顧客参照フィールドに「可」が設定されているか否かを判断する。ここでは、管理情報４００−１の顧客参照フィールドに「可」が設定されている。
【００８１】
この場合、判定部６０５は、第１送信用バッファ６０８に記憶されている画面情報Ｐ３のうちのアクティブウィンドウＷ１の画面情報Ｐ１によって、第２送信用バッファ６０９を更新すると判定する。そして、更新部６０４は、第１送信用バッファ６０８に記憶されている画面情報Ｐ３のうちのアクティブウィンドウＷ１の画面情報Ｐ１を第２送信用バッファ６０９に書き込む。この結果、図８の（８−２）に示すように、ディスプレイ１２０に画面情報Ｐ１が表示される。
【００８２】
これにより、ディスプレイ１１０，１２０のそれぞれに同じ画面情報Ｐ１を表示して、金融機関の職員が顧客に対して金融商品の紹介等を行うことができる。ここで、金融機関の職員の操作入力により、アクティブウィンドウがウィンドウＷ１からウィンドウＷ２に切り替わった場合を想定する。
【００８３】
図８の（８−３）において、第１送信用バッファ６０８に画面情報Ｐ４が書き込まれた結果、ディスプレイ１１０に画面情報Ｐ４が表示されている。ここでは、ディスプレイ１１０の表示モードがウィンドウ表示モードのため、ディスプレイ１１０に表示されるウィンドウＷ１，Ｗ２のうちアクティブウィンドウＷ２の画面情報Ｐ２が判定対象となる。
【００８４】
具体的には、例えば、まず、判定部６０５は、画面情報管理ＤＢ２２０から、第１送信用バッファ６０８に記憶されている画面情報Ｐ４のうちのアクティブウィンドウＷ２の画面情報Ｐ２のＵＲＬがＵＲＬフィールドに設定された管理情報を取得する。ここでは、画面情報Ｐ２のＵＲＬを「ａｂａｎｋ．ｃｏ．ｊｐ／ｓｃｈｅ．ｈｔｍｌ」とする。
【００８５】
この場合、判定部６０５は、画面情報管理ＤＢ２２０から、画面情報Ｐ２のＵＲＬ「ａｂａｎｋ．ｃｏ．ｊｐ／ｓｃｈｅ．ｈｔｍｌ」がＵＲＬフィールドに設定された管理情報４００−５を取得する。つぎに、判定部６０５は、取得した管理情報４００−５の顧客参照フィールドに「可」が設定されているか否かを判断する。ここでは、管理情報４００−５の顧客参照フィールドに「非」が設定されている。
【００８６】
この場合、判定部６０５は、第１送信用バッファ６０８に記憶されている画面情報Ｐ４のうちのアクティブウィンドウＷ２の画面情報Ｐ２によって、第２送信用バッファ６０９を更新しないと判定する。この結果、図８の（８−４）に示すように、ディスプレイ１２０には画面情報Ｐ１が表示されたままとなる。これにより、ディスプレイ１１０に表示する画面情報Ｐ２が職員のみが確認したい情報、すなわち、顧客に公開したくない情報の場合は、画面情報Ｐ２で第２送信用バッファ６０９を更新せずに、職員と顧客とが別々の画面情報Ｐ４，Ｐ１を閲覧することができる。
【００８７】
＜第３の画面遷移例＞
つぎに、ディスプレイ１１０の表示モードがウィンドウ表示モード、かつ、情報処理装置１０２を利用する顧客の顧客種別が「非優待客」の場合を例に挙げて、ディスプレイ１１０，１２０の画面遷移例について説明する。
【００８８】
図９は、ディスプレイ１１０，１２０の第３の画面遷移例を示す説明図である。図９の（９−１）において、第１送信用バッファ６０８に画面情報Ｐ５が書き込まれた結果、ディスプレイ１１０に画面情報Ｐ５が表示されている。ここでは、ディスプレイ１１０の表示モードがウィンドウ表示モードのため、ディスプレイ１１０に表示されるウィンドウＷ３，Ｗ４のうちアクティブウィンドウＷ３の画面情報Ｐ６が判定対象となる。画面情報Ｐ６は、非優待客に公開する情報であり、図９の例では、画面情報Ｐ６は、非優待客が預金した場合の利息を示す情報である。
【００８９】
具体的には、例えば、まず、判定部６０５は、画面情報管理ＤＢ２２０から、第１送信用バッファ６０８に記憶されている画面情報Ｐ５のうちのアクティブウィンドウＷ３の画面情報Ｐ６のＵＲＬがＵＲＬフィールドに設定された管理情報を取得する。ここでは、画面情報Ｐ６のＵＲＬを「ａｂａｎｋ．ｃｏ．ｊｐ／ｉｎｆｏ２．ｈｔｍｌ」とする。
【００９０】
この場合、判定部６０５は、画面情報管理ＤＢ２２０から、画面情報Ｐ６のＵＲＬ「ａｂａｎｋ．ｃｏ．ｊｐ／ｉｎｆｏ２．ｈｔｍｌ」がＵＲＬフィールドに設定された管理情報４００−３を取得する。つぎに、判定部６０５は、取得した管理情報４００−３の顧客参照フィールドに「可」が設定されているか否かを判断する。ここでは、管理情報４００−３の顧客参照フィールドに「可」が設定されている。
【００９１】
ここで、顧客参照フィールドに「可」が設定されている場合、判定部６０５は、顧客情報管理ＤＢ２３０から、情報処理装置１０２を利用する顧客の顧客ＩＤが顧客ＩＤフィールドに設定された顧客情報を取得する。ここでは、顧客の顧客ＩＤを「Ｕ１」とする。この場合、判定部６０５は、顧客情報管理ＤＢ２３０から、顧客の顧客ＩＤ「Ｕ１」が顧客ＩＤフィールドに設定された顧客情報５００−１を取得する。
【００９２】
そして、判定部６０５は、取得した顧客情報５００−１の顧客種別フィールドを参照して、顧客が優待客か非優待客かを判断する。ここでは、顧客情報５００−１の顧客種別フィールドに「非」が設定されている。すなわち、情報処理装置１０２を利用する顧客は、「非優待客」である。
【００９３】
ここで、顧客が非優待客の場合、判定部６０５は、管理情報４００−３の非優待客参照フィールドに「可」が設定されているか否かを判断する。ここでは、管理情報４００−３の非優待客参照フィールドに「可」が設定されている。この場合、判定部６０５は、第１送信用バッファ６０８に記憶されている画面情報Ｐ５のうちのアクティブウィンドウＷ３の画面情報Ｐ６によって、第２送信用バッファ６０９を更新すると判定する。
【００９４】
そして、更新部６０４は、第１送信用バッファ６０８に記憶されている画面情報Ｐ５のうちのアクティブウィンドウＷ３の画面情報Ｐ６を第２送信用バッファ６０９に書き込む。この結果、図９の（９−２）に示すように、ディスプレイ１２０に画面情報Ｐ６が表示される。
【００９５】
これにより、ディスプレイ１１０，１２０のそれぞれに同じ画面情報Ｐ６を表示して、金融機関の職員が顧客に対して金融商品の紹介等を行うことができる。ここで、金融機関の職員の操作入力により、アクティブウィンドウがウィンドウＷ３からウィンドウＷ４に切り替わった場合を想定する。
【００９６】
図９の（９−３）において、第１送信用バッファ６０８に画面情報Ｐ８が書き込まれた結果、ディスプレイ１１０に画面情報Ｐ８が表示されている。ここでは、ディスプレイ１１０の表示モードがウィンドウ表示モードのため、ディスプレイ１１０に表示されるウィンドウＷ３，Ｗ４のうちアクティブウィンドウＷ４の画面情報Ｐ７が判定対象となる。画面情報Ｐ７は、優待客に公開する情報であり、図９の例では、画面情報Ｐ７は、優待客が預金した場合の利息を示す情報である。
【００９７】
具体的には、例えば、まず、判定部６０５は、画面情報管理ＤＢ２２０から、第１送信用バッファ６０８に記憶されている画面情報Ｐ８のうちのアクティブウィンドウＷ４の画面情報Ｐ７のＵＲＬがＵＲＬフィールドに設定された管理情報を取得する。ここでは、画面情報Ｐ７のＵＲＬを「ａｂａｎｋ．ｃｏ．ｊｐ／ｉｎｆｏ１．ｈｔｍｌ」とする。
【００９８】
この場合、判定部６０５は、画面情報管理ＤＢ２２０から、画面情報Ｐ７のＵＲＬ「ａｂａｎｋ．ｃｏ．ｊｐ／ｉｎｆｏ１．ｈｔｍｌ」がＵＲＬフィールドに設定された管理情報４００−２を取得する。つぎに、判定部６０５は、取得した管理情報４００−２の顧客参照フィールドに「可」が設定されているか否かを判断する。ここでは、管理情報４００−２の顧客参照フィールドに「可」が設定されている。
【００９９】
つぎに、判定部６０５は、管理情報４００−２の非優待客参照フィールドに「可」が設定されているか否かを判断する。ここでは、管理情報４００−２の非優待客参照フィールドに「非」が設定されている。この場合、判定部６０５は、第１送信用バッファ６０８に記憶されている画面情報Ｐ８のうちのアクティブウィンドウＷ４の画面情報Ｐ７によって、第２送信用バッファ６０９を更新しないと判定する。
【０１００】
この結果、図９の（９−４）に示すように、ディスプレイ１２０には画面情報Ｐ６が表示されたままとなる。これにより、ディスプレイ１１０に表示する画面情報Ｐ７が優待客に公開する情報、すなわち、非優待客に公開したくない情報の場合は、画面情報Ｐ７で第２送信用バッファ６０９を更新せずに、職員と顧客とが別々の画面情報Ｐ８，Ｐ６を閲覧することができる。
【０１０１】
（情報処理装置１０１の表示制御処理手順）
つぎに、情報処理装置１０１の表示制御処理手順について説明する。
【０１０２】
図１０は、情報処理装置１０１の表示制御処理手順の一例を示すフローチャートである。図１０のフローチャートにおいて、まず、情報処理装置１０１は、情報処理装置１０２を利用する顧客の顧客ＩＤを受け付けたか否かを判断する（ステップＳ１００１）。ここで、情報処理装置１０１は、顧客の顧客ＩＤを受け付けるのを待つ（ステップＳ１００１：Ｎｏ）。
【０１０３】
そして、顧客の顧客ＩＤを受け付けた場合（ステップＳ１００１：Ｙｅｓ）、情報処理装置１０１は、画面情報Ｐの送信開始指示を受け付けたか否かを判断する（ステップＳ１００２）。ここで、情報処理装置１０１は、画面情報Ｐの送信開始指示を受け付けるのを待つ（ステップＳ１００２：Ｎｏ）。
【０１０４】
そして、画面情報Ｐの送信開始指示を受け付けた場合（ステップＳ１００２：Ｙｅｓ）、情報処理装置１０１は、ディスプレイ１１０の表示内容の切り替えを検知したか否かを判断する（ステップＳ１００３）。ここで、ディスプレイ１１０の表示内容の切り替えを検知した場合（ステップＳ１００３：Ｙｅｓ）、情報処理装置１０１は、ディスプレイ１１０に表示する画面情報Ｐを取得する（ステップＳ１００４）。
【０１０５】
そして、情報処理装置１０１は、取得した画面情報Ｐで、第１送信用バッファ６０８を更新する（ステップＳ１００５）。なお、第１送信用バッファ６０８に記憶された画面情報Ｐはディスプレイ１１０に出力される。つぎに、情報処理装置１０１は、判定対象となる画面情報ＰのＵＲＬを取得する判定対象取得処理を実行する（ステップＳ１００６）。なお、判定対象取得処理の具体的な処理手順については、図１１を用いて後述する。
【０１０６】
そして、情報処理装置１０１は、判定対象となる画面情報Ｐで、第２送信用バッファ６０９を更新するか否かを判定する判定処理を実行して（ステップＳ１００７）、ステップＳ１００３に戻る。なお、判定処理の具体的な処理手順については、図１２を用いて後述する。
【０１０７】
また、ステップＳ１００３において、ディスプレイ１１０の表示内容の切り替えを検知していない場合（ステップＳ１００３：Ｎｏ）、情報処理装置１０１は、画面情報Ｐの送信終了指示を受け付けたか否かを判断する（ステップＳ１００８）。送信終了指示は、情報処理装置１０２への画面情報Ｐの送信終了を指示するものである。
【０１０８】
ここで、画面情報Ｐの送信終了指示を受け付けていない場合（ステップＳ１００８：Ｎｏ）、情報処理装置１０１は、ステップＳ１００３に戻る。一方、画面情報Ｐの送信終了指示を受け付けた場合（ステップＳ１００８：Ｙｅｓ）、情報処理装置１０１は、本フローチャートによる一連の処理を終了する。
【０１０９】
これにより、情報処理装置１０２のディスプレイ１２０の表示内容を制御することができる。
【０１１０】
つぎに、図１０のステップＳ１００６に示した判定対象取得処理の具体的な処理手順について説明する。
【０１１１】
図１１は、判定対象取得処理の具体的処理手順の一例を示すフローチャートである。図１１のフローチャートにおいて、まず、情報処理装置１０１は、ディスプレイ１１０の表示モードが全画面表示モードかウィンドウ表示モードかを判断する（ステップＳ１１０１）。
【０１１２】
ここで、ディスプレイ１１０の表示モードが全画面表示モードの場合（ステップＳ１１０２：Ｙｅｓ）、情報処理装置１０１は、ディスプレイ１１０に全画面表示している画面情報ＰのＵＲＬを取得する（ステップＳ１１０３）。そして、情報処理装置１０１は、判定対象取得処理を呼び出したステップに戻る。
【０１１３】
一方、ディスプレイ１１０の表示モードがウィンドウ表示の場合（ステップＳ１１０２：Ｎｏ）、情報処理装置１０１は、ディスプレイ１１０にウィンドウ表示しているアクティブウィンドウの画面情報ＰのＵＲＬを取得する（ステップＳ１１０４）。そして、情報処理装置１０１は、判定対象取得処理を呼び出したステップに戻る。
【０１１４】
これにより、ディスプレイ１１０の表示モードがウィンドウ表示モードの場合は、ディスプレイ１１０に表示されているアクティブウィンドウの画面情報Ｐを判定対象にすることができる。
【０１１５】
つぎに、図１０のステップＳ１００７に示した判定処理の具体的な処理手順について説明する。
【０１１６】
図１２は、判定処理の具体的処理手順の一例を示すフローチャートである。図１２のフローチャートにおいて、まず、情報処理装置１０１は、画面情報管理ＤＢ２２０から、判定対象となる画面情報ＰのＵＲＬがＵＲＬフィールドに設定された管理情報を取得する（ステップＳ１２０１）。
【０１１７】
つぎに、情報処理装置１０１は、取得した管理情報の顧客参照フィールドに「可」が設定されているか否かを判断する（ステップＳ１２０２）。ここで、顧客参照フィールドに「可」が設定されている場合（ステップＳ１２０２：Ｙｅｓ）、情報処理装置１０１は、顧客情報管理ＤＢ２３０から、図１０に示したステップＳ１００１において受け付けた顧客の顧客ＩＤが顧客ＩＤフィールドに設定された顧客情報を取得する（ステップＳ１２０３）。
【０１１８】
そして、情報処理装置１０１は、取得した顧客情報の顧客種別フィールドを参照して、情報処理装置１０２を利用する顧客が優待客か非優待客かを判断する（ステップＳ１２０４）。ここで、顧客が優待客の場合（ステップＳ１２０４：Ｙｅｓ）、情報処理装置１０１は、取得した管理情報の優待客参照フィールドに「可」が設定されているか否かを判断する（ステップＳ１２０５）。
【０１１９】
そして、優待客参照フィールドに「可」が設定されている場合（ステップＳ１２０５：Ｙｅｓ）、情報処理装置１０１は、判定対象となる画面情報Ｐによって第２送信用バッファ６０９を更新すると判定する（ステップＳ１２０６）。つぎに、情報処理装置１０１は、判定対象となる画面情報Ｐで第２送信用バッファ６０９を更新して（ステップＳ１２０７）、判定処理を呼び出したステップに戻る。なお、第２送信用バッファ６０９に記憶された画面情報Ｐは情報処理装置１０２に出力される。
【０１２０】
一方、優待客参照フィールドに「非」が設定されている場合（ステップＳ１２０５：Ｎｏ）、情報処理装置１０１は、判定対象となる画面情報Ｐによって第２送信用バッファ６０９を更新しないと判定して（ステップＳ１２０８）、判定処理を呼び出したステップに戻る。
【０１２１】
また、ステップＳ１２０４において、顧客が非優待客の場合（ステップＳ１２０４：Ｎｏ）、情報処理装置１０１は、取得した管理情報の非優待客参照フィールドに「可」が設定されているか否かを判断する（ステップＳ１２０９）。
【０１２２】
そして、非優待客参照フィールドに「可」が設定されている場合（ステップＳ１２０９：Ｙｅｓ）、情報処理装置１０１は、判定対象となる画面情報Ｐによって第２送信用バッファ６０９を更新すると判定して（ステップＳ１２１０）、ステップＳ１２０７に移行する。一方、非優待客参照フィールドに「非」が設定されている場合（ステップＳ１２０９：Ｎｏ）、情報処理装置１０１は、判定対象となる画面情報Ｐによって第２送信用バッファ６０９を更新しないと判定して（ステップＳ１２１１）、判定処理を呼び出したステップに戻る。
【０１２３】
また、ステップＳ１２０２において、顧客参照フィールドに「非」が設定されている場合（ステップＳ１２０２：Ｎｏ）、情報処理装置１０１は、判定対象となる画面情報Ｐによって第２送信用バッファ６０９を更新しないと判定して（ステップＳ１２０８）、判定処理を呼び出したステップに戻る。
【０１２４】
これにより、顧客に公開するか否かを区別する画面情報Ｐの種別に応じて、判定対象となる画面情報Ｐによって第２送信用バッファ６０９を更新するか否かを判定することができる。また、優待客か非優待客かを区別する顧客の顧客種別に応じて、判定対象となる画面情報Ｐによって第２送信用バッファ６０９を更新するか否かを判定することができる。
【０１２５】
（情報処理装置１０１に複数の情報処理装置１０２が接続される場合の接続例）
つぎに、情報処理装置１０１に複数の情報処理装置１０２が接続される場合の接続例について説明する。なお、以下の説明では、複数の情報処理装置１０２を「情報処理装置Ｍ１〜Ｍｎ」と表記し、情報処理装置Ｍ１〜Ｍｎのうちの任意の情報処理装置を「情報処理装置Ｍｉ」と表記する場合がある（ｎ：１以上の自然数）。
【０１２６】
図１３は、情報処理装置１０１に情報処理装置Ｍ１〜Ｍｎが接続される場合の接続例を示す説明図である。図１３において、ネットワーク２１０を介して、情報処理装置１０１に情報処理装置Ｍ１〜Ｍｎが接続されている。ここでは、金融機関において、複数の顧客に対して金融商品の説明を行う合同説明会が開催される場合を想定し、金融機関から各々の顧客に対して情報処理装置Ｍｉが貸し出される場合を想定する。図１３の例では、情報処理装置Ｍｉは、タブレット型ＰＣである。
【０１２７】
この場合、情報処理装置１０１は、情報処理装置Ｍ１〜Ｍｎに含まれる情報処理装置Ｍｉごとに、情報処理装置Ｍｉのディスプレイ１２０に表示する表示内容を制御する。また、情報処理装置１０１は、例えば、情報処理装置Ｍ１〜Ｍｎに含まれる情報処理装置Ｍｉごとに第２送信用バッファ６０９を有する。
【０１２８】
（装置管理情報ＤＢ１４００の記憶内容）
まず、情報処理装置１０１が用いる装置管理情報ＤＢ１４００の記憶内容について説明する。装置管理情報ＤＢ１４００は、例えば、図３に示した情報処理装置１０１のメモリ３０２により実現される。
【０１２９】
図１４は、装置管理情報ＤＢ１４００の記憶内容の一例を示す説明図である。図１４において、装置管理情報ＤＢ１４００は、装置ＩＤ、顧客ＩＤおよび送信先アドレスのフィールドを有し、各フィールドに情報を設定することで、装置管理情報１４００−１〜１４００−ｎをレコードとして記憶する。
【０１３０】
ここで、装置ＩＤは、情報処理装置Ｍｉの識別子である。顧客ＩＤは、情報処理装置Ｍｉを利用する顧客の識別子である。送信先アドレスは、情報処理装置Ｍｉのアドレスである。装置管理情報ＤＢ１４００は、入力装置３０３を用いた利用者の操作入力により作成されてもよく、また、情報処理装置Ｍｉから顧客ＩＤととともに装置ＩＤを受け付けることにより作成されてもよい。
【０１３１】
（情報処理装置１０１の表示制御処理手順）
つぎに、情報処理装置１０１に情報処理装置Ｍ１〜Ｍｎが接続される場合の情報処理装置１０１の表示制御処理手順について説明する。ただし、情報処理装置１０１の表示制御処理手順のうち、図１０のステップＳ１００７に示した判定処理以外の処理手順については、図１０に示した表示制御処理手順および図１１に示した判定対象取得の具体的処理手順と同様のため、ここでは図示および説明を省略する。
【０１３２】
図１５は、情報処理装置１０１に情報処理装置Ｍ１〜Ｍｎが接続される場合の判定処理の具体的処理手順の一例を示すフローチャートである。図１５のフローチャートにおいて、まず、情報処理装置１０１は、装置管理情報ＤＢ１４００を参照して、接続されている情報処理装置Ｍ１〜Ｍｎの装置数ｎを特定する（ステップＳ１５０１）。
【０１３３】
つぎに、情報処理装置１０１は、情報処理装置Ｍｉの「ｉ」を「ｉ＝１」で初期化して（ステップＳ１５０２）、情報処理装置Ｍ１〜Ｍｎから情報処理装置Ｍｉを選択する（ステップＳ１５０３）。そして、情報処理装置１０１は、画面情報管理ＤＢ２２０から、判定対象となる画面情報ＰのＵＲＬがＵＲＬフィールドに設定された管理情報を取得する（ステップＳ１５０４）。
【０１３４】
つぎに、情報処理装置１０１は、取得した管理情報の顧客参照フィールドに「可」が設定されているか否かを判断する（ステップＳ１５０５）。ここで、顧客参照フィールドに「可」が設定されている場合（ステップＳ１５０５：Ｙｅｓ）、情報処理装置１０１は、装置管理情報ＤＢ１４００を参照して、情報処理装置Ｍｉの顧客の顧客ＩＤを特定する（ステップＳ１５０６）。
【０１３５】
つぎに、情報処理装置１０１は、顧客情報管理ＤＢ２３０から、特定した顧客の顧客ＩＤが顧客ＩＤフィールドに設定された顧客情報を取得する（ステップＳ１５０７）。そして、情報処理装置１０１は、取得した顧客情報の顧客種別フィールドを参照して、情報処理装置１０２を利用する顧客が優待客か非優待客かを判断する（ステップＳ１５０８）。
【０１３６】
ここで、顧客が優待客の場合（ステップＳ１５０８：Ｙｅｓ）、情報処理装置１０１は、取得した管理情報の優待客参照フィールドに「可」が設定されているか否かを判断する（ステップＳ１５０９）。
【０１３７】
そして、優待客参照フィールドに「可」が設定されている場合（ステップＳ１５０９：Ｙｅｓ）、情報処理装置１０１は、判定対象となる画面情報Ｐによって第２送信用バッファ６０９を更新すると判定する（ステップＳ１５１０）。つぎに、情報処理装置１０１は、装置管理情報ＤＢ１４００を参照して、情報処理装置Ｍｉの送信先アドレスを特定する（ステップＳ１５１１）。
【０１３８】
そして、情報処理装置１０１は、特定した送信先アドレスが設定された判定対象となる画面情報Ｐによって、情報処理装置Ｍｉの第２送信用バッファ６０９を更新する（ステップＳ１５１２）。なお、第２送信用バッファ６０９に記憶された画面情報Ｐは情報処理装置Ｍｉに出力される。つぎに、情報処理装置１０１は、情報処理装置Ｍｉの「ｉ」をインクリメントして（ステップＳ１５１３）、「ｉ」が「ｎ」より大きくなったか否かを判断する（ステップＳ１５１４）。
【０１３９】
ここで、「ｉ」が「ｎ」以下の場合（ステップＳ１５１４：Ｎｏ）、情報処理装置１０１は、ステップＳ１５０３に戻る。一方、「ｉ」が「ｎ」より大きくなった場合（ステップＳ１５１４：Ｙｅｓ）、情報処理装置１０１は、判定処理を呼び出したステップに戻る。
【０１４０】
また、ステップＳ１５０９において、優待客参照フィールドに「非」が設定されている場合（ステップＳ１５０９：Ｎｏ）、情報処理装置１０１は、判定対象となる画面情報Ｐによって第２送信用バッファ６０９を更新しないと判定して（ステップＳ１５１５）、ステップＳ１５１３に移行する。
【０１４１】
また、ステップＳ１５０８において、顧客が非優待客の場合（ステップＳ１５０８：Ｎｏ）、情報処理装置１０１は、取得した管理情報の非優待客参照フィールドに「可」が設定されているか否かを判断する（ステップＳ１５１６）。
【０１４２】
そして、非優待客参照フィールドに「可」が設定されている場合（ステップＳ１５１６：Ｙｅｓ）、情報処理装置１０１は、判定対象となる画面情報Ｐによって第２送信用バッファ６０９を更新すると判定して（ステップＳ１５１７）、ステップＳ１５１１に移行する。一方、非優待客参照フィールドに「非」が設定されている場合（ステップＳ１５１６：Ｎｏ）、情報処理装置１０１は、判定対象となる画面情報Ｐによって第２送信用バッファ６０９を更新しないと判定して（ステップＳ１５１８）、ステップＳ１５１３に移行する。
【０１４３】
また、ステップＳ１５０５において、顧客参照フィールドに「非」が設定されている場合（ステップＳ１５０５：Ｎｏ）、情報処理装置１０１は、判定対象となる画面情報Ｐによって第２送信用バッファ６０９を更新しないと判定して（ステップＳ１５１５）、ステップＳ１５１３に移行する。
【０１４４】
これにより、情報処理装置Ｍ１〜Ｍｎが接続されている場合は、情報処理装置Ｍ１〜Ｍｎに含まれる情報処理装置Ｍｉごとに、情報処理装置Ｍｉのディスプレイ１２０の表示内容を制御することができる。
【０１４５】
以上説明したように、情報処理装置１０１によれば、第１送信用バッファ６０８を更新する際に、画面情報管理ＤＢ２２０を参照して、第１送信用バッファ６０８に記憶された画面情報Ｐによって、第２送信用バッファ６０９を更新するか否かを判定することができる。これにより、情報処理装置１０２のディスプレイ１２０の表示内容を制御することができる。
【０１４６】
また、情報処理装置１０１によれば、判定対象となる画面情報Ｐの管理情報の顧客参照フィールドに「非」が設定されている場合は、第２送信用バッファ６０９を更新しないと判定することができる。これにより、職員だけが確認したい非公開の画面情報Ｐをディスプレイ１１０に表示しても、顧客に非公開の画面情報Ｐがディスプレイ１２０に表示されることを抑制することができる。
【０１４７】
また、情報処理装置１０１によれば、顧客が優待客のときは、画面情報Ｐの管理情報の顧客参照フィールドに「可」が設定されていても、優待客参照フィールドに「非」が設定されている場合は、第２送信用バッファ６０９を更新しないと判定することができる。これにより、顧客が優待客の場合に、職員だけが確認したい優待客に非公開の画面情報Ｐをディスプレイ１１０に表示しても、優待客に非公開の画面情報Ｐがディスプレイ１２０に表示されることを抑制することができる。また、職員が誤って優待客に非公開の画面情報Ｐをディスプレイ１１０に表示しても、優待客に非公開の画面情報Ｐがディスプレイ１２０に表示されることを抑制することができる。
【０１４８】
また、情報処理装置１０１によれば、顧客が非優待客のときは、画面情報Ｐの管理情報の顧客参照フィールドに「可」が設定されていても、非優待客参照フィールドに「非」が設定されている場合は、第２送信用バッファ６０９を更新しないと判定することができる。これにより、顧客が非優待客の場合に、職員だけが確認したい非優待客に非公開の画面情報Ｐをディスプレイ１１０に表示しても、非優待客に非公開の画面情報Ｐがディスプレイ１２０に表示されることを抑制することができる。また、職員が誤って非優待客に非公開の画面情報Ｐをディスプレイ１１０に表示しても、非優待客に非公開の画面情報Ｐがディスプレイ１２０に表示されることを抑制することができる。
【０１４９】
また、情報処理装置１０１によれば、ディスプレイ１１０の表示モードがウィンドウ表示モードの場合、第１送信用バッファ６０８を更新する際に、アクティブウィンドウの画面情報Ｐによって、第２送信用バッファ６０９を更新するか否かを判定することができる。これにより、ディスプレイ１１０に複数のウィンドウが表示されていても、顧客に公開してもよいアクティブウィンドウの画面情報Ｐだけをディスプレイ１２０に表示することができる。
【０１５０】
なお、本実施の形態で説明した表示制御方法は、予め用意されたプログラムをパーソナル・コンピュータやワークステーション等のコンピュータで実行することにより実現することができる。本表示制御プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本表示制御プログラムは、インターネット等のネットワークを介して配布してもよい。
【０１５１】
上述した実施の形態に関し、さらに以下の付記を開示する。
【０１５２】
（付記１）他のコンピュータと通信可能に接続可能なコンピュータに、
前記コンピュータが有する第１のディスプレイに出力する画面情報を記憶する第１の記憶部を更新する際に、画面情報の識別子と種別との対応関係を示す管理情報に基づいて、前記他のコンピュータが有する第２のディスプレイに出力する画面情報を記憶する第２の記憶部を前記第１の記憶部に記憶された画面情報によって更新するか否かを判定し、
判定した判定結果に基づいて、前記第２の記憶部を更新する、
処理を実行させることを特徴とする表示制御プログラム。
【０１５３】
（付記２）前記判定する処理は、
前記第１のディスプレイに複数のウィンドウが表示される場合、前記第１の記憶部を更新する際に、前記複数のウィンドウのうちのアクティブウィンドウの画面情報によって前記第２の記憶部を更新するか否かを判定し、
前記更新する処理は、
判定した判定結果に基づいて、前記アクティブウィンドウの画面情報によって前記第２の記憶部を更新することを特徴とする付記１に記載の表示制御プログラム。
【０１５４】
（付記３）前記管理情報は、画面情報の識別子と、前記コンピュータの利用者以外の利用者に公開するか否かを区別する種別との対応関係を示し、
前記判定する処理は、
前記管理情報に基づいて、前記第１の記憶部に記憶する画面情報が、前記コンピュータの利用者以外の利用者に非公開の画面情報の場合、前記第２の記憶部を更新しないと判定することを特徴とする付記１または２に記載の表示制御プログラム。
【０１５５】
（付記４）前記管理情報は、画面情報の識別子と、前記コンピュータの利用者以外の利用者のうち特定の種別の利用者に公開するか否かを区別する種別との対応関係を示し、
前記判定する処理は、
前記管理情報および前記他のコンピュータの利用者の識別子と種別との対応関係を示す利用者情報に基づいて、前記第１の記憶部に記憶する画面情報が、前記他のコンピュータの利用者に非公開の画面情報の場合、前記第２の記憶部を更新しないと判定することを特徴とする付記１〜３のいずれか一つに記載の表示制御プログラム。
【０１５６】
（付記５）前記コンピュータに、
前記第１の記憶部に記憶されている画面情報を前記第１のディスプレイに出力し、
前記第２の記憶部に記憶されている画面情報を前記他のコンピュータに出力する、
処理を実行させることを特徴とする付記１〜４のいずれか一つに記載の表示制御プログラム。
【０１５７】
（付記６）前記コンピュータに、
前記第１のディスプレイの表示内容の切り替えを検知する処理を実行させ、
前記判定する処理は、
前記切り替えを検知した場合に、前記第１の記憶部に記憶された画面情報によって、前記他のコンピュータが有する第２のディスプレイに出力する画面情報を記憶する第２の記憶部を更新するか否かを判定することを特徴とする付記１〜５のいずれか一つに記載の表示制御プログラム。
【０１５８】
（付記７）他のコンピュータと通信可能に接続可能なコンピュータに、
前記コンピュータが有する第１のディスプレイに出力する画面情報を記憶する第１の記憶部を更新する際に、画面情報の識別子と種別との対応関係を示す管理情報に基づいて、前記他のコンピュータが有する第２のディスプレイに出力する画面情報を記憶する第２の記憶部を前記第１の記憶部に記憶された画面情報によって更新するか否かを判定し、
判定した判定結果に基づいて、前記第２の記憶部を更新する、
処理を実行させる表示制御プログラムを記録したことを特徴とする前記コンピュータに読み取り可能な記録媒体。
【０１５９】
（付記８）第１のディスプレイを有し、第２のディスプレイを有する他の情報処理装置と通信可能に接続可能な情報処理装置において、
前記第１のディスプレイに出力する画面情報を記憶する第１の記憶部と、
前記第２のディスプレイに出力する画面情報を記憶する第２の記憶部と、
前記第１の記憶部を更新する際に、画面情報の識別子と種別との対応関係を示す管理情報に基づいて、前記第１の記憶部に記憶された画面情報によって前記第２の記憶部を更新するか否かを判定する判定部と、
前記判定部によって判定された判定結果に基づいて、前記第２の記憶部を更新する更新部と、
前記第１の記憶部に記憶されている画面情報を前記第１のディスプレイに出力する第１の出力部と、
前記第２の記憶部に記憶されている画面情報を前記他の情報処理装置に出力する第２の出力部と、
を有することを特徴とする情報処理装置。
【符号の説明】
【０１６０】
１０１，１０２  情報処理装置
２００  システム
２２０  画面情報管理ＤＢ
２３０  顧客情報管理ＤＢ
６０１  受付部
６０２  検知部
６０３  取得部
６０４  更新部
６０５  判定部
６０６  第１出力部
６０７  第２出力部
１４００  装置管理情報ＤＢ
【図１】
2014182521.tif 000003
【図２】
2014182521.tif 000004
【図３】
2014182521.tif 000005
【図４】
2014182521.tif 000006
【図５】
2014182521.tif 000007
【図６】
2014182521.tif 000008
【図７】
2014182521.tif 000009
【図８】
2014182521.tif 000010
【図９】
2014182521.tif 000011
【図１０】
2014182521.tif 000012
【図１１】
2014182521.tif 000013
【図１２】
2014182521.tif 000014
【図１３】
2014182521.tif 000015
【図１４】
2014182521.tif 000016
【図１５】
2014182521.tif 000017